(57)【特許請求の範囲】
【請求項１】
床面などを拭くための起毛布ローラ体を備えた電気掃除機用吸込具において、
前記起毛布ローラ体を、多数の微細孔が設けられあるいは多孔体からなり起毛布を巻き付けた円筒ローラと、その両端部に一体化された円筒状のキャップとから形成するとともに、
各前記キャップの外端に、それぞれ栓塞可能な円筒状の突起を設け、
吸込具本体には、一方の前記突起を支承する凹部と他方の突起を支承する穴を形成し、かつ該穴の内方に、該穴を貫通した前記突起を前記凹部側へ直接付勢する付勢手段を設けたことを特徴とする電気掃除機用吸込具。
【請求項２】
付勢手段は、吸込具本体を形成する上ケースと下ケースの間に基端が挾持されて自由端が穴の内方に延出する板ばねから成ることを特徴とする請求項１記載の電気掃除機用吸込具。
【請求項３】
付勢手段は、吸込具本体を形成する上ケースまたは下ケースから穴の内方に延出する舌状片から成ることを特徴とする請求項１記載の電気掃除機用吸込具。
【請求項４】
起毛布ローラ体の突起が貫通する穴側に、該起毛布ローラ体の回転方向の一方向の動きを制限する制動手段を設け、
前記制動手段は、吸込具本体における起毛布ローラ体のキャップ周面との間で楔状空間を形成する平面部と、該楔状空間内に所定量食い込み可能に前記平面部と前記キャップ周面との間に介在設置され、床面抵抗に伴う負荷が規定以上に作用した場合に、制限方向の回動を許容する軟質体からなる制動部材とから構成してなる請求項１乃至請求項３のいずれかに記載の電気掃除機用吸込具。
【請求項５】
制動部材を、中心軸を有するコマ形の制動輪から構成して横軸配置するとともに、下ケースに、該制動輪の輪部を楔状空間内に挿入可能とする孔を形成し、該孔の縁部を制動輪食い込み量の制限手段として構成したことを特徴とする請求項４記載の電気掃除機用吸込具。
【請求項６】
制動輪の上方向移動量を制限するリブを上ケースより垂下して設けたことを特徴とする請求項５記載の電気掃除機用吸込具。
【発明の詳細な説明】
【０００１】
【発明の属する技術分野】
本発明は、拭き機能を備えた電気掃除機用吸込具に関するものである。
【０００２】
【従来の技術】
図１５乃至図１７は例えば特開平５−２６１０３５号公報に示されている従来のこの種電気掃除機用吸込具を示すもので、図１５はその縦断面図、図１６はその要部の分解斜視図、図１７はその要部の縦断面図である。
【０００３】
この従来例の電気掃除機用吸込具は、床用吸込具の本体１が上ケース２と下ケース３をバンパー４を挟んで一体に結合されている。５は下部ケース３に設けた吸込口で、吸込口５から吸引された空気流は上下のケース２，３に回転自在に装着された連結管６を介して電気掃除機本体（図示せず）に流れるようになっている。７は下部ケース３の前部の左右端に設けた前車輪、８は下ケース３の後部に着脱自在に設置した起毛布ローラ体８である。
【０００４】
起毛布ローラ体８は、図１６及び図１７に示すように円筒ローラ９の外周に起毛布１１を巻き付けたもので、取り外すことにより起毛布１１の洗浄を行えるようにしている。起毛布ローラ体８の両端にはそれぞれ段筒状のホルダ１２が嵌着固定され、各ホルダ１２の中心孔１２ａにそれぞれポペット状の軸受部材１３の軸部１３ａが摺動自在に差し込まれている。軸受部材１３は、その軸部１３ａの先端が反割に形成され、反割部の外周にそれぞれ爪１３ｂが形成されていて、軸部１３ａをホルダ１２の中心孔１２ａに差し込んだ際には、各爪１３ｂがホルダ１２の内端面と係合できるようになっており、これによってホルダ１２からの脱落が防止されるようになっている。軸受部材１３の頭部外側端面には、矩形状の突起１３ｃが突出形成され、この突起１３ｃが下ケース３に穿設した矩形孔３ａ内に嵌入して回動を規制された状態で支承されるようになっている。また、軸受部材１３の頭部内側端面とホルダ１２の外端面との間には、軸受部材１３を常時外側方向（爪によるホルダとの係合方向）に付勢するコイルばね１４が配設されている。従って、起毛布ローラ体８、ホルダ１２、軸受部材１３、及びコイルばね１４は、組付によって一体化される。
【０００５】
この従来例において、吸込口５から吸込まれた塵埃などは、連結管６から図示しない延長パイプ、可撓性ホースを通って電気掃除機本体内に堆積する。吸込具の前進時には、吸込口５が塵埃などを吸込んだあとで起毛布ローラ体８が床面上を通過し、床面上に付着したほこりなどを起毛布１１によって拭きとる。このとき、起毛布ローラ体８は、床面上では摩擦抵抗がコイルばね１４の付勢力より小さいため回転せず、固定された状態で床面を拭きとる。一方、吸込具により絨毯の掃除をするときは、摩擦抵抗が大きいため起毛布ローラ体８はコイルばね１４の付勢力に打勝って回転し、絨毯の表面をクリーニングする。
【０００６】
起毛布１１の洗浄のために起毛布ローラ体８を下ケース３より取り外すには、まず起毛布ローラ体８を手で掴み、その状態で軸方向の一方側に移動させ、移動方向先端に位置する軸受部材１３の頭部をコイルばね１４の付勢力に抗してホルダ１２側に移動させる。この移動によって、移動方向後端に位置する軸受部材１３の頭部の突起１３ｃが下ケース３の矩形孔３ａより抜けるので、その状態から起毛布ローラ体８を傾けることにより、起毛布ローラ体８を下ケース３から離脱させることができる。ホルダ１２側に移動させられていた軸受部材１３は、起毛布ローラ体８の下ケース３からの離脱後にコイルばね１４の付勢力により元の位置まで復帰する。
【０００７】
【発明が解決しようとする課題】
従来の電気掃除機用吸込具は、以上のように起毛布ローラ体８、ホルダ１２、軸受部材１３、及びコイルばね１４を、組付によって一体化して独立構成しているため、起毛布１１の洗浄のために起毛布ローラ体８を下ケース３から取り外しても、起毛布ローラ体８からコイルばね１４を分離できず、起毛布１１を水洗いしたりするとコイルばね１４が錆び、軸受部の動作に不具合が生じて着脱が不可能になる可能性がある。また起毛布ローラ体８を消耗品として消費者に提供する場合、高コストの物となり不利益を与えることになる。更に摩擦抵抗が小さい床面上では、起毛布ローラ体８が回転せず、固定された状態で床面を拭きとるため、被掃除面と常に一か所で接することとなり、起毛布１１の摩耗が激しく、片減りの原因になる。
【０００８】
そこで、コイルばねを起毛布ローラ体から分離して床用吸込具本体側に配置し、前記起毛布水洗い後の軸受部の動作不具合等の問題を解消するとともに、くさび効果を利用して、例えば前進時に起毛布ローラ体を自動的に固定し、後進時に起毛布ローラ体の拘束を自動的に解いて自由転動できるようにしたものや、このくさび効果を利用した機構の手動解除機構等を設けて、被掃除面が絨毯である場合の操作性をも考慮したものが提案されている。この場合には、摩擦抵抗が小さい床面上においても、後進時に起毛布ローラ体が回転するため、前記従来例のように起毛布ローラ体が一か所で接することはなく、前後進を繰り返す度に接触面の移動が行われ、片減りが低減される。とは言え、前進時には起毛布ローラ体の回転が完全に固定されるため、片減りの問題が完全に解消されたわけではなかった。
【０００９】
そこで、前記同様にコイルばねを起毛布ローラ体から分離構成するとともに、起毛布ローラ体の支持部に粘性抵抗装置を設けて、摩擦抵抗の小さい被掃除面を掃除する際は起毛布ローラ体をゆっくり回転させ、摩擦抵抗の大きい被掃除面を掃除するときは起毛布ローラ体を前記よりも若干早く回転させるようにして、片減りの問題を解消したものが提案されている。しかしながら、この場合には粘性抵抗装置が複雑で部品点数の増加も招き、コスト高になるのを避けられない。
【００１０】
また、いずれの従来例においても、起毛布ローラ体は、起毛布を巻き付けた円筒ローラと、その両端に一体化される支持部とが相対回動する方式を採用している。このため、起毛布ローラ体の部品点数が多く、この面でもコストの削減が図れない。更に相対回動部の隙間から砂ごみが侵入するのを避けられず、回転不良が発生する。このような状態になると、その構造上、使用者が分解掃除することは不可能である。
【００１１】
本発明の技術的課題は、起毛布ローラ体そのものの構成およびその自由回転抑制機構を単純化でき、起毛布の片減りがなく、かつ起毛布ローラ体を回動自在に支持する支承部に砂ごみ等の侵入があってもこれを使用者が簡単に取り除くことができるようにすることにある。
【００１２】
【課題を解決するための手段】
本発明の請求項１に係る電気掃除機用吸込具は、下記の構成からなるものである。すなわち、床面などを拭くための起毛布ローラ体を備えた電気掃除機用吸込具において、起毛布ローラ体を、多数の微細孔が設けられあるいは多孔体からなり起毛布を巻き付けた円筒ローラと、その両端部に一体化された円筒状のキャップとから形成するとともに、各キャップの外端に、それぞれ栓塞可能な円筒状の突起を設け、吸込具本体には、一方の突起を支承する凹部と他方の突起を支承する穴を形成し、かつこの穴の内方に、この穴を貫通した突起を凹部側へ直接付勢する付勢手段を設けたものである。
【００１３】
また、本発明の請求項２に係る電気掃除機用吸込具は、付勢手段を、吸込具本体を形成する上ケースと下ケースの間に基端が挾持されて自由端が穴の内方に延出する板ばねから構成したものである。
【００１４】
また、本発明の請求項３に係る電気掃除機用吸込具は、付勢手段を、吸込具本体を形成する上ケースまたは下ケースから穴の内方に延出する舌状片から構成したものである。
【００１５】
また、本発明の請求項４に係る電気掃除機用吸込具は、起毛布ローラ体の突起が貫通する穴側に、この起毛布ローラ体の回転方向の一方向の動きを制限する制動手段を設け、この制動手段は、吸込具本体における起毛布ローラ体のキャップ周面との間で楔状空間を形成する平面部と、楔状空間内に所定量食い込み可能に平面部とキャップ周面との間に介在設置され、床面抵抗に伴う負荷が規定以上に作用した場合に、制限方向の回動を許容する軟質体からなる制動部材とから構成したものである。
【００１６】
また、本発明の請求項５に係る電気掃除機用吸込具は、制動部材を、中心軸を有するコマ形の制動輪から構成して横軸配置するとともに、下ケースに、制動輪の輪部を楔状空間内に挿入可能とする孔を形成し、この孔の縁部を制動輪食い込み量の制限手段として構成したものである。
【００１７】
また、本発明の請求項６に係る電気掃除機用吸込具は、制動輪の上方向移動量を制限するリブを上ケースより垂下して設けたものである。
【００１８】
【発明の実施の形態】
実施形態１．
以下、図示実施例により本発明を説明する。
図１は本発明の第１実施形態に係る電気掃除機用吸込具の正面側からみた縦断面図、図２はその起毛布ローラ体の着脱手順の説明図、図３はその外観を示す斜視図であり、各図中、前述の各従来例（図１５乃至図１７）に相当する部分には同一符号を付してある。
【００１９】
この第１実施形態の電気掃除機用吸込具は、床用吸込具の本体２１が、上ケース２と下ケース３を軟質材料からなるバンパー４介して一体に結合されてなり、かつその後部中央に、図示しない電気掃除機本体の吸引側に延長パイプ及び可撓性ホースを介し連通する連結管６が回転自在に装着されている。下ケース３の前部中央には連結管６に連なる吸込口５（図１５参照）が設けられ、吸込口５の左右に吸込溝１０が延設されている。また、下部ケース３の前部の左右端には、本吸込具を前後にスムーズに移動可能にするためと、本吸込具と床面との距離を一定に保つことを目的に前車輪７が設けられているとともに、下ケース３の吸込口５の後方に、床面などを拭くための起毛布ローラ体２２が着脱可能に設置されている。
【００２０】
起毛布ローラ体２２は、外周に起毛布２４を巻き付けた合成樹脂製の円筒ローラ２３と、円筒ローラ２３の両端にそれぞれ圧入によって嵌着固定された高摺動材からなる円筒状のキャップ２５，２６とから構成され、下ケース３から取り外すことにより起毛布２４の洗浄を行えるようになっている。なお、キャップ２５，２６の固定は圧入によるものばかりでなく、例えば接着剤による固定、爪による固定、キーによる固定、スプライン係合状態下での固定、など種々採用可能である。
【００２１】
キャップ２５，２６には、その外端に円筒状の突起２５ａ，２６ａが設けられており、突起２５ａ，２６ａを介して下ケース３に回転自在に直接支持されるようになっている。なお、突起２５ａ，２６ａは円柱状に形成してもよいが、洗浄時に円筒ローラ２３内に水が侵入する可能性を考慮して、内部乾燥まで行えるようにここでは円筒状とした。
【００２２】
ところで、突起２５ａ，２６ａを円筒状とすることで、これを積極的に利用することもできる。すなわち、突起２５ａ，２６ａの中心孔２５ｂ，２６ｂより円筒ローラ２３内に水を供給することができる。従って、円筒ローラ２３に多数の微細孔を形成し、あるいは円筒ローラ２３を多孔体（例えばセラミック）から形成して、外表面に水が滲むように構成すれば、起毛布ローラ体２２に水拭き機能も持たせることが可能となる。この場合、中心孔２５ｂ，２６ｂを内部挿入型のゴム栓などにより閉塞できるようにすることが好ましい。これによって、突起２５ａ，２６ａの摺動面に影響を与えることなく、起毛布ローラ体２２を水供給源となる水タンクとしても機能させることができ、構成の簡素化が図れる。
【００２３】
下ケース３の起毛布ローラ体設置部におけるキャップ２５，２６と対向する左右壁の一方には、一方のキャップ２５側の突起２５ａを回転自在に直接支持する凹部２７が設けられているとともに、他方の壁に他方のキャップ２６側の突起２６ａを回転自在に直接支持する穴２８が形成されている。なお、凹部２７と穴２８の内面に低摩擦材（例えば四弗化エチレン樹脂）をコーティングすることは好ましい。またここでは説明の都合上、凹部２７に一方の突起２５ａが、また穴２８に他方の突起２６ａが挿入されるとしているが、キャップ２５，２６は同一構成部材からなり、左右逆にして取り付けても問題はない。
【００２４】
穴２８の内方には、穴２８を貫通した突起２６ａに直接当接してこれを凹部２７側へ常時付勢することで起毛布ローラ体２２の脱落を防止する付勢手段である金属製の板ばね２９が設けられている。板ばね２９はＬ字状に形成され、その基端となる一方の片部２９ａが、上ケース２と下ケース３の間に挾持されて固定されるようになっている。すなわち、上ケース２には所定間隔離して対向する一対のボス３１ａ，３１ｂが設けられているとともに、下ケース３にその上ケース２との組付時にボス３１ａ，３１ｂ間に嵌入可能な条突起３２が設けられ、更に板ばね２９の基端片部２９ａに条突起３２が嵌入可能な長孔２９ｂが形成されている。従って、上ケース２と下ケース３を組み付ける前に、板ばね２９の自由端となる他方の片部２９ｃを穴２８の内方へ垂下するように配置して、板ばね２９の長孔２９ｂを下ケース３の条突起３２に嵌入させておけば、上ケース２と下ケース３を組み付けるだけで、板ばね２９の基端片部２９ａを上ケース２のボス３１ａ，３１ｂの下縁と下ケース３の内面との間に挾持することができ、かつ条突起３２によって板ばね２９の水平方向の自由動を規制することができる。
【００２５】
なお、板ばね２９の自由端側片部２９ｃにおける穴２８と対向する面部に、低摩擦材（例えば四弗化エチレン樹脂）をコーティングしてもよく、更にその面部に穴２８を貫通してきた起毛布ローラ体２２の突起２６ａの中心孔２６ｂ内に嵌入可能な小突起を形成してもよい。このような小突起を設けることで、起毛布ローラ体２２の着脱時に突起２６ａが穴２８内にいろんな角度から挿入されても、板ばね２９における突起２６ａの当接位置（荷重作用点）を常に同じ位置（例えば幅方向の中心位置）とすることができ、長期に亘って板ばね２９の塑性変形を防止することができる。
【００２６】
この第１実施形態の電気掃除機用吸込具において、起毛布２４の洗浄などのために起毛布ローラ体２２を下ケース３より取り外すには、まず図１の状態にある起毛布ローラ体２２を手で掴み、その状態で起毛布ローラ体２２全体を板ばね２９の付勢力に抗して穴２８側軸方向に移動させる。この移動によって、移動方向後端に位置する突起２５ａが下ケース３の凹部２７より抜けるので、その状態から起毛布ローラ体２２を図２に示すように下方向に傾けることにより、起毛布ローラ体２２を下ケース３から離脱させることができる。
起毛布洗浄後の起毛布ローラ体２２の下ケース３への取り付けは、前述と逆の手順により行う。
【００２７】
このように、この第１実施形態の電気掃除機用吸込具においては、起毛布ローラ体２２を、外周に起毛布２４を巻き付けた円筒ローラ２３とその両端に一体的に固定されたキャップ２５，２６とから構成し、起毛布ローラ体２２を下ケース３に回転自在に直接支持させるようにしているので、起毛布ローラ体２２の構成が簡素化されてコストの削減が図れるとともに、起毛布ローラ体２２そのものには相対回動部が存在しなくなって、従来のようなごみ侵入による回転不良などの問題を無くすることができる。また起毛布ローラ体２２を回動自在に支持する支承部、すなわち下ケース３の凹部２７や穴２８内に砂ごみ等の侵入があっても、下ケース３より起毛布ローラ体２２を取り外すだけで使用者が簡単に取り除くことができる。
【００２８】
また、起毛布ローラ体２２のキャップ２５，２６の外端に、それぞれ突起２５ａ，２６ａを設けるとともに、下ケース３に、一方の突起２５ａを回転自在に直接支持する凹部２７と他方の突起２６ａを回転自在に直接支持する穴２８を形成し、かつ穴２８の内方に、穴２８を貫通した突起２６ａを凹部２７側へ直接付勢する板ばね２９を設けているので、起毛布ローラ体２２の支承部とストローク調整機構の構成が簡素化されて一層のコスト削減が図れる。
【００２９】
また、突起２５ａ，２６ａを栓塞可能な円筒状に形成して円筒ローラ２３に多数の微細孔を設け、あるいは円筒ローラ２３を多孔体から形成することで、起毛布ローラ体２２に水拭き機能と水供給源となる水タンク機能を持たせることができる。
【００３０】
また、板ばね２９は、その基端が上ケース２と下ケース３間に挾持されることで取り付けられるように構成したので、取付作業が容易となって作業効率を向上させることができる。
【００３１】
実施形態２．
図４は本発明の第２実施形態に係る電気掃除機用吸込具の正面側からみた要部の縦断面図であり、図中、前述の第１実施形態（図１乃至図３）のものと同一部分には同一符号を付しその説明を省略する。
【００３２】
この第２実施形態の電気掃除機用吸込具は、起毛布ローラ体２２の下ケース３からの脱落を防止する付勢手段を、吸込具本体２１の上ケース２の内面から下ケース３の穴２８の内方に延出する舌状片４１から構成したものであり、それ以外の構成（起毛布ローラ体に水拭き機能および水タンク機能を付加させることを可能とする構成も含む）は前述の第１実施形態のものと同一である。
【００３３】
この第２実施形態の電気掃除機用吸込具においては、付勢手段となる舌状片４１を上ケース２に一体成形しているため、起毛布ローラ体２２のストローク調整機構にコイルばね等の別体の部材を用いる必要が無くなって構成が一層簡素化され、さらなるコスト削減が図れる。
【００３４】
ところで、吸込具本体２１の構成部材は殆どが射出成形により製作される。射出成形により製作される部材の内面側に一体の構造部が存在する場合、その構造部壁の肉厚は外殻側壁の肉厚の６０％以下にしないと、固化する際の引張応力により外殻表面における前記構造部根元部位２ａに引けが発生する。従って、上ケース２の内面から延出する舌状片４１の肉厚ｔは、できるだけ上ケース２の外殻側の肉厚Ｔよりも薄くすることが意匠上望まれる。
【００３５】
この引けの問題は、図４に破線で示すように、吸込具本体２１の上ケース２と下ケース３間に介在する軟質材料からなるバンパー４における舌状片対向面部に膨出部４ａを設け、膨出部４ａで舌状片４１の背面側を保持させて、舌状片４１の根元部に加わるストレスを緩和させ、これにより舌状片４１の肉厚ｔの薄肉化を図ることで、予め回避することができる。
【００３６】
なお、この第２実施形態においても前述の第１実施形態のものと同様に、舌状片４１の自由端における穴２８と対向する面部に、低摩擦材（例えば四弗化エチレン樹脂）をコーティングしてもよく、更にその面部に穴２８を貫通してきた起毛布ローラ体２２の突起２６ａの中心孔２６ｂ内に嵌入可能な小突起を形成してもよい。
【００３７】
実施形態３．
図５は本発明の第３実施形態に係る電気掃除機用吸込具の正面側からみた要部の縦断面図、図６はその底面図であり、各図中、前述の第１実施形態（図１乃至図３）のものと同一部分には同一符号を付しその説明を省略する。
【００３８】
この第３実施形態の電気掃除機用吸込具は、起毛布ローラ体２２の下ケース３からの脱落を防止する付勢手段を、吸込具本体２１の下ケース３の内面から穴２８の内方に延出する舌状片５１から構成するとともに、下ケース３における舌状片基部両側にスリット５２を形成したものであり、それ以外の構成（起毛布ローラ体に水拭き機能および水タンク機能を付加させることを可能とする構成も含む）は前述の第１実施形態のものと同一である。
【００３９】
この第３実施形態の電気掃除機用吸込具においては、付勢手段となる舌状片５１を下ケース３に一体成形しているため、前述の第２実施形態のものと同様に起毛布ローラ体２２のストローク調整機構にコイルばね等の別体の部材を用いる必要が無くなって構成が簡素化され、コスト削減が図れる。
【００４０】
また、下ケース３における舌状片基部両側にスリット５２を形成しているので、舌状片５１の下ケース３からの突出寸法が短くともその弾性変形可能な変位量を大きくすることができる。
【００４１】
なお、この第３実施形態においても前述の第２実施形態のものと同様に、舌状片５１の自由端における穴２８と対向する面部に、低摩擦材（例えば四弗化エチレン樹脂）をコーティングしてもよく、更にその面部に穴２８を貫通してきた起毛布ローラ体２２の突起２６ａの中心孔２６ｂ内に嵌入可能な小突起を形成してもよい。
【００４２】
実施形態４．
図７は本発明の第４実施形態に係る電気掃除機用吸込具の正面側からみた要部の縦断面図であり、図中、前述の第１実施形態（図１乃至図３）のものと同一部分には同一符号を付しその説明を省略する。
【００４３】
この第４実施形態の電気掃除機用吸込具は、起毛布ローラ体２２の下ケース３からの脱落を防止する付勢手段を、吸込具本体２１の上ケース２と下ケース３間に介在する軟質材料からなるバンパー４から延出して穴２８の内方空間を埋める膨出部６１から構成したものであり、それ以外の構成（起毛布ローラ体に水拭き機能および水タンク機能を付加させることを可能とする構成も含む）は前述の第１実施形態のものと同一である。
【００４４】
この第４実施形態の電気掃除機用吸込具においては、付勢手段となる膨出部６１を軟質材料製のバンパー４から延出させて形成しているため、前述の第２、第３実施形態のものと同様に起毛布ローラ体２２のストローク調整機構にコイルばね等の別体の部材を用いる必要が無くなって構成が簡素化され、コスト削減が図れる。
【００４５】
また、膨出部６１が軟質材料すなわち弾性体からなるため、弾性変形可能な変位量を一層大きくすることができ、その分、起毛布ローラ体２２の支承部の軸方向寸法を大きくとることができて、起毛布ローラ体２２の装着状態が安定し、電気掃除機使用時の安定性が向上する。
【００４６】
なお、この第４実施形態においてもバンパー４の膨出部６１における穴２８と対向する部位に、低摩擦材（例えば四弗化エチレン樹脂）をコーティングしてもよい。
【００４７】
実施形態５．
図８は本発明の第５実施形態に係る電気掃除機用吸込具の側面側からみた要部の縦断面図、図９はその正面側からみた縦断面図であり、各図中、前述の第１実施形態（図１乃至図３）及び第２実施形態（図４）のものと同一部分には同一符号を付しその説明を省略する。
【００４８】
この第５実施形態の電気掃除機用吸込具は、起毛布ローラ体２２の突起２６ａが貫通する穴２８側に、起毛布ローラ体２２の回転方向の一方向（ここでは前進時）の動きを制限する制動手段７１を設け、拭き機能を得られるようにしたものである。
【００４９】
これを更に詳述すると、制動手段７１は、下ケース３における起毛布ローラ体２２のキャップ２６の周面２６ｃと対向する壁面の一部に設けられてキャップ周面２６ｃとの間で楔状空間を形成する平面部７２と、この楔状空間内に所定量食い込み可能に平面部７２とキャップ周面２６ｃとの間に介在設置され、床面抵抗に伴う負荷が規定以上に作用した場合に、制限方向（前進方向）の回動を許容する軟質体からなる制動部材７３とから構成されている。
【００５０】
また、制動部材７３は、中心軸７４を有するコマ形の制動輪７５からなり、横軸配置されている。なお、中心軸７４と制動輪７５は、一体でも、また別体から構成してもよい。
【００５１】
下ケース３には、制動輪７５の輪部を楔状空間内に挿入可能とする孔７６が形成され、孔７６の縁部７６ａが制動輪食い込み量の制限手段として構成されている。
【００５２】
また、上ケース２には、制動輪７５の上方向移動量を制限する一対のリブ７７が垂下して設けられている。それ以外の構成（起毛布ローラ体に水拭き機能および水タンク機能を付加させることを可能とする構成も含む）は前述の第１実施形態のものと同一である。
【００５３】
この第５実施形態の電気掃除機用吸込具において、制動部材７３、特に制動輪７５に使用可能な軟質体としては、例えば塩化ビニール、合成ゴム、シリコンゴムなど採用可能であるが、いずれを採用するにせよ、硬度５０度〜８０度、表面摩擦係数（動摩擦係数）μｋは０．３〜０．９のものが望ましい。制動輪７５に用いる軟質体の硬度および表面摩擦係数の数値限定理由は次の通りである。
【００５４】
すなわち、硬度が５０度以下の場合、起毛布ローラ体２２の前進時に制動輪７５が楔状空間内に食い込んだ際の変形（図８に一点鎖線で示す）が大きくなり、制動輪７５が孔７６の縁部７６ａから楔状空間内へ必要以上に突出し、起毛布ローラ体２２を完全に停止させてしまう傾向が現れる。この状態から起毛布ローラ体２２を後進させると、キャップ２６が制動輪７５を楔状空間内の位置より解放する方向へ回転するので、食い込み状態が解除され、制動輪７５は図８に実線で示す位置に戻されるが、あまりに硬度が低いと、変形に伴う楔状空間内への突出量が大きくなり過ぎて、起毛布ローラ体２２を後進させても食い込み状態が解除されなくなり、起毛布ローラ体２２は停止状態から抜け出せなくなる。
【００５５】
硬度が８０度以上の場合、起毛布ローラ体２２の前進時に制動輪７５が楔状空間内に食い込む際の変形量が小さくなり、必要な食い込み量が得られず、楔効果が働かなくなる傾向が現れる。あまりに硬度が高いと、楔効果が働かなくなり、拭き機能が得られない。
【００５６】
制動輪７５の表面摩擦係数μｋが０．３以下の場合、起毛布ローラ体２２の前進時に制動輪７５が楔状空間内に食い込んだ際の変形量が最適（あるいはそれより若干大きい場合）であっても、制動輪７５と平面部７２との間で滑りが生ずる傾向が現れる。あまりに表面摩擦係数が低いと、楔効果が働かなくなり、拭き機能が得られない。
【００５７】
制動輪７５の表面摩擦係数μｋが０．９以上の場合、起毛布ローラ体２２の前進時に制動輪７５が楔状空間内に食い込んだ際の変形量（硬度）が最適（あるいはそれより若干小さい場合）に設定されていても、必要な変形量に達する前に制動輪７５と平面部７２との間で摩擦による引っかかりが生ずる傾向が現れ、甚だしい場合、引っかかりと解放が小刻みに繰り返されてサージングが発生する。あまりに表面摩擦係数が高いと、起毛布ローラ体２２の前進時に直ぐに楔効果が現れ、かつ起毛布ローラ体２２を後進させても食い込み状態が解除されなくなり、起毛布ローラ体２２は停止状態から抜け出せなくなるばかりでなく、制動輪７５やキャップ２６あるいは平面部７２を傷めてしまう虞れがある。
【００５８】
制動手段７１を起毛布ローラ体２２の突起２６ａが貫通する穴２８側に配置した理由は次の通りである。既述したように、吸込具本体２１の構成部材は殆どが射出成形により製作される。その関係で、キャップ２５，２６の周面２５ｃ，２６ｃは、突起側末端にかけて若干縮径するテーパに形成されている。従って、制動手段７１により楔効果を働かせた場合の力は、キャップ２６に対し凹部２７側軸方向（起毛布ローラ体取り付け方向）の分力として作用する。もし、制動手段７１を起毛布ローラ体２２の突起２５ａが支持されている凹部２７側に配置すれば、前記分力の作用方向が穴２８方向（起毛布ローラ体を取り外す方向）となり、起毛布ローラ体２２は拭き掃除の度に下ケース３から離脱させられる可能性がある。この第５実施形態のように、制動手段７１を起毛布ローラ体２２の突起２６ａが貫通する穴２８側に配置することで、起毛布ローラ体２２の下ケース３への取り付け状態が安定する。
【００５９】
下ケース３に設けた孔７６の縁部７６ａは、制動部材７３の中心軸７４が係合することで、制動輪７５の輪部の楔状空間内への突出量を制限している。
【００６０】
また、上ケース２に設けた一対のリブ７７は、起毛布ローラ体２２の後進時に制動部材７３が跳ね上げられることがあっても、そのリブ下縁で制動部材７３の中心軸７４の必要以上の上方向動を押さえることで、制動部材７３の制動輪７５が孔７６部から脱落するのを防止している。
【００６１】
したがって、この第５実施形態の電気掃除機用吸込具においては、掃除する際は、前進時に制動輪７５が楔状空間内に所定量食い込み、起毛布ローラ体２２の動きを制限して拭き機能が得られ、また後進時には制動輪７５が楔状空間内より解放されて、起毛布ローラ体２２が回転する。このため、起毛布ローラ体２２が一か所で接することはなく、前後進を繰り返す度に接触面の移動が行われ、片減りが低減される。
【００６２】
また、制動部材７３の硬度や表面摩擦係数を所定の範囲に限定し、更に楔状空間内への突出量も規制しているので、摩擦抵抗の小さい被掃除面を掃除する際でも、起毛布ローラ体２２の動きを完全に停止させることがなく、起毛布ローラ体２２がゆっくり回転し、摩擦抵抗の大きい被掃除面を掃除するときは起毛布ローラ体２２が前記よりも若干早く回転する。このため、片減りの問題が完全に解消される。
【００６３】
また、制動部材７３を中心軸７４を有するコマ形の制動輪７５から形成して、下ケース３には、制動輪７５の輪部を孔７６から楔状空間内に挿入し、制動輪７５の上方向移動量を制限する一対のリブ７７を有する下ケース３を上ケース２に結合するだけで取り付けられるようにしているので、起毛布ローラ体２２の自由回転を抑制する制動手段７１の構成が簡素化され、その分コストを削減することができる。
【００６４】
実施形態６．
図１０は本発明の第６実施形態に係る電気掃除機用吸込具の正面側からみた縦断面図であり、図中、前述の第１実施形態（図１乃至図３）及び第５実施形態（図８及び図９）のものと同一部分には同一符号を付しその説明を省略する。
【００６５】
この第６実施形態の電気掃除機用吸込具は、前述の第５実施形態のものの持つ機能を全て備えている。この第６実施形態では、起毛布ローラ体２２のキャップ２５，２６の周面に、それぞれ突起側末端にかけて若干縮径するテーパ２５ｄ，２６ｄを積極的に形成したものであり、それ以外の構成（起毛布ローラ体に水拭き機能および水タンク機能を付加させることを可能とする構成も含む）は前述の第１実施形態のものと同一である。
【００６６】
この第６実施形態の電気掃除機用吸込具においては、前述の第５実施形態のものと同様、制動手段７１を起毛布ローラ体２２の突起２６ａが貫通する穴２８側に配置するとともに、キャップ２５，２６の周面に積極的にテーパ２５ｄ，２６ｄを形成している。従って、制動手段７１により楔効果を働かせた場合の力の分は、キャップ２６に対し起毛布ローラ体取り付け方向である凹部２７側軸方向へ確実に作用する。このため、起毛布ローラ体２２の下ケース３への取り付け状態がより安定する。
【００６７】
実施形態７．
図１１は本発明の第７実施形態に係る電気掃除機用吸込具の側面側からみた要部の縦断面図、図１２はその制動手段の異なる態様を示す縦断面図であり、各図中、前述の第１実施形態（図１乃至図３）及び第６実施形態（図１０）のものと同一または同一機能部分には同一符号を付しその説明を省略する。なお、ここでは説明にあたって図１０を参照するものとする。
【００６８】
この第７実施形態の電気掃除機用吸込具は、起毛布ローラ体２２の突起２６ａが貫通する穴２８側に設けられて、起毛布ローラ体２２の回転方向の一方向（ここでは前進時）の動きを制限する制動手段８１を、下ケース３における起毛布ローラ体２２のキャップ２６のテーパ（周面）２６ｄと対向する壁面の一部に設けられてキャップ周面２６ｃとの間で楔状空間を形成する平面部７２と、軟質材料製のバンパー４の内面の一部から下ケース３の孔８２を介して前記楔状空間内まで延びるＬ状の腕８３と、楔状空間内に所定量食い込み可能に腕８３の先端に形成されて、床面抵抗に伴う負荷が規定以上に作用した場合に、前進方向の回動を許容する制動部材となる球状の膨出部８４とから構成したものである。それ以外の構成（起毛布ローラ体に水拭き機能および水タンク機能を付加させることを可能とする構成も含む）は前述の第１実施形態のものと同一である。
【００６９】
この第７実施形態の電気掃除機用吸込具において、バンパー４すなわち膨出部８４は、前述の第５実施形態のものと同様の硬度５０度〜８０度、表面摩擦係数（動摩擦係数）μｋが０．３〜０．９の軟質体（塩化ビニール、合成ゴム、シリコンゴムなど）から構成した。この膨出部８３に用いる軟質体の硬度および表面摩擦係数の数値限定理由は前述の第５実施形態で述べた通りであるので、ここでは説明を省略する。
【００７０】
この第７実施形態の電気掃除機用吸込具において、掃除する際は、前進時に膨出部８４が、楔状空間を形成するキャップ２６のテーパ２６ｄ及び平面部７２との摩擦力により楔状空間内に引っ張られて腕８３が延び、膨出部８４が楔状空間内に所定量食い込み（図１２）、起毛布ローラ体２２の動きを制限して拭き機能が得られ、また後進時には膨出部８４が楔状空間内より解放されて、起毛布ローラ体２２が回転する。このため、起毛布ローラ体２２が一か所で接することはなく、前後進を繰り返す度に接触面の移動が行われ、片減りが低減される。
【００７１】
また、制動部材すなわち膨出部８４の硬度や表面摩擦係数を所定の範囲に限定し、更に楔状空間内への突出量も腕８３により規制しているので、摩擦抵抗の小さい被掃除面を掃除する際でも、起毛布ローラ体２２の動きを完全に停止させることがなく、起毛布ローラ体２２がゆっくり回転し、摩擦抵抗の大きい被掃除面を掃除するときは起毛布ローラ体２２が前記よりも若干早く回転する。このため、片減りの問題が完全に解消される。
【００７２】
また、制動部材をバンパー４と一体の膨出部８４から形成しているので、起毛布ローラ体２２の自由回転を抑制する制動手段８１の構成がより簡素化され、一層コストを削減することができる。
【００７３】
実施形態８．
図１３は本発明の第８実施形態に係る電気掃除機用吸込具の側面側からみた要部の縦断面図であり、図中、前述の第１実施形態（図１乃至図３）及び第５実施形態（図８及び図９）のものと同一または同一機能部分には同一符号を付しその説明を省略する。なお、ここでは説明にあたって図９を参照するものとする。
【００７４】
この第８実施形態の電気掃除機用吸込具は、起毛布ローラ体２２の突起２６ａが貫通する穴２８側に設けられて、起毛布ローラ体２２の回転方向の一方向（ここでは前進時）の動きを制限する制動手段９１を、起毛布ローラ体２２のキャップ周面に形成した爪車９２と、上ケース２から垂下して先端が下ケース３の孔９５を貫通して爪車９２と噛み合う逆転止掣子片９３とからなる基本的にワンウェイクラッチに構成したものである。
【００７５】
また、爪車９２の逆転止掣子片先端が当接する歯面を、爪車通常回転方向（ここでは時計方向）へ傾斜する所定角度の斜面９２ａに形成し、床面抵抗に伴う負荷が規定以上に作用した場合に、逆転止掣子片９３の先端が斜面９２ａを超えて制限方向（ここでは反時計方向）の回動を許容するように構成したものである。
【００７６】
更に、バンパー４の内面突起７４を利用して逆転止掣子片９３の背面側を保持させて、逆転止掣子片９３の根元部に加わるストレスを緩和させ、これにより逆転止掣子片９３の薄肉化を図り、予め引けの問題を回避するようにしたものである。それ以外の構成（起毛布ローラ体に水拭き機能および水タンク機能を付加させることを可能とする構成も含む）は前述の第１実施形態のものと同一である。
【００７７】
この第８実施形態の電気掃除機用吸込具において、掃除する際は、前進時に逆転止掣子片９３の先端が爪車９２と噛み合い、起毛布ローラ体２２の動きを制限して拭き機能が得られ、また後進時には逆転止掣子片９３と爪車９２との噛み合いが解かれて、逆転止掣子片９３が爪車９２の歯面上を滑り、起毛布ローラ体２２が回転する。このため、起毛布ローラ体２２が一か所で接することはなく、前後進を繰り返す度に接触面の移動が行われ、片減りが低減される。
【００７８】
また、爪車９２の逆転止掣子片先端が当接する歯面を、爪車通常回転方向へ傾斜する斜面９２ａに形成し、床面抵抗に伴う負荷が規定以上に作用した場合に、逆転止掣子片９３の先端が斜面９２ａを超えて制限方向の回動を許容するように構成しているので、摩擦抵抗の小さい被掃除面を掃除する際でも、起毛布ローラ体２２の動きを完全に停止させることがなく、起毛布ローラ体２２が間欠的にゆっくり回転し、摩擦抵抗の大きい被掃除面を掃除するときは起毛布ローラ体２２が前記よりも若干早く回転する。このため、片減りの問題が完全に解消される。
【００７９】
実施形態９．
図１４は本発明の第９実施形態に係る電気掃除機用吸込具の正面側からみた要部の縦断面図であり、図中、前述の第１実施形態（図１乃至図３）、第３実施形態（図５及び図６）、及び第５実施形態（図８及び図９）のものと同一または同一機能部分には同一符号を付しその説明を省略する。なお、ここでも説明にあたって図９を参照するものとする。
【００８０】
この第９実施形態の電気掃除機用吸込具は、前述の第８実施形態のものの持つ機能を全て備えているが、ここでは起毛布ローラ体２２の動きが制限される方向を後進方向となるように爪車９２と逆転止掣子片９３を組み付け、更に逆転止掣子片９３を、爪車９２との係合を解除できる軸方向ストロークを有する外部操作可能なスライダ１０１と一体化している。なお、図中の符号１０２は上ケース２に設けた長孔であり、この長孔１０２内にスライダ１０１の操作部１０１ａが挿入され、外部操作を可能にしている。それ以外の構成（起毛布ローラ体に水拭き機能および水タンク機能を付加させることを可能とする構成も含む）は前述の第１実施形態および第３実施形態のものと同一である。
【００８１】
この第８実施形態の電気掃除機用吸込具において、掃除する際は、後進時に逆転止掣子片９３の先端が爪車９２と噛み合い、起毛布ローラ体２２の動きを制限して拭き機能が得られ、また後進時には逆転止掣子片９３と爪車９２との噛み合いが解かれて、逆転止掣子片９３が爪車９２の歯面上を滑り、起毛布ローラ体２２が回転する。このため、起毛布ローラ体２２が一か所で接することはなく、前後進を繰り返す度に接触面の移動が行われ、片減りが低減される。このように後進時に拭き機能を得られるようにすることで、起毛布ローラ体２２の前方配置が可能となる。
【００８２】
また、このように転止掣子片９３の先端が爪車９２と噛み合う向きを前述の第８実施形態のものと逆にすると、爪車９２の逆転止掣子片先端が当接する歯面が、爪車通常回転方向（前進方向）へ傾斜する斜面９２ａとなり、床面抵抗に伴う負荷が規定以上に作用した場合に、逆転止掣子片９３の先端が斜面９２ａを超えて制限方向の回動を許容する。これにより、摩擦抵抗の小さい被掃除面を掃除する際でも、起毛布ローラ体２２の動きを完全に停止させることがなく、起毛布ローラ体２２が間欠的にゆっくり回転し、摩擦抵抗の大きい被掃除面を掃除するときは起毛布ローラ体２２が前記よりも若干早く回転する。このため、片減りの問題が完全に解消される。
【００８３】
また、逆転止掣子片９３を、爪車９２との係合を解除できる軸方向ストロークを有する外部操作可能なスライダ１０１と一体化しているので、スライダ１０１を操作して逆転止掣子片９３と爪車９２との係合を解除することができる。従って、摩擦抵抗の大きい絨毯面を掃除するときに逆転止掣子片９３と爪車９２との係合を解除することで、起毛布ローラ体２２の自由回転を許容することができ、かつ逆転止掣子片９３と爪車９２との間で係合回転時に生じていた音を消すことができる。
【００８４】
【発明の効果】
以上述べたように、請求項１の発明によれば、起毛布ローラ体を、多数の微細孔が設けられあるいは多孔体からなり起毛布を巻き付けた円筒ローラと、その両端部に一体化された円筒状のキャップとから形成するとともに、各キャップの外端に、それぞれ栓塞可能な円筒状の突起を設け、吸込具本体には、一方の突起を支承する凹部と他方の突起を支承する穴を形成し、かつこの穴の内方に、この穴を貫通した突起を凹部側へ直接付勢する付勢手段を設けたので、起毛布ローラ体の構成が簡素化されてコスト削減が図れる。また起毛布ローラ体そのものには相対回動部が存在しなくなって、従来のようなごみ侵入による回転不良などの問題を無くすることができる。更に起毛布ローラ体を回動自在に支持する支承部内に砂ごみ等の侵入があっても、これを吸込具本体より起毛布ローラ体を取り外すだけで使用者が簡単に取り除くことができる。また起毛布ローラ体の支承部とストローク調整機構の構成が簡素化されて一層のコスト削減が図れる。また起毛布ローラ体に水拭き機能と水供給源となる水タンク機能を持たせることができる。
【００８５】
また、請求項２の発明によれば、付勢手段を、吸込具本体を形成する上ケースと下ケースの間に基端が挾持されて自由端が穴の内方に延出する板ばねから構成したので、取付作業が容易となって作業効率を向上させることができる。
【００８６】
また、請求項３の発明によれば、付勢手段を、吸込具本体を形成する上ケースまたは下ケースから穴の内方に延出する舌状片から構成したので、起毛布ローラ体のストローク調整機構にコイルばね等の別体の部材を用いる必要が無くなって構成が一層簡素化され、さらなるコスト削減が図れる。
【００８７】
また、請求項４の発明によれば、起毛布ローラ体の突起が貫通する穴側に、この起毛布ローラ体の回転方向の一方向の動きを制限する制動手段を設け、この制動手段は、吸込具本体における起毛布ローラ体のキャップ周面との間で楔状空間を形成する平面部と、楔状空間内に所定量食い込み可能に平面部とキャップ周面との間に介在設置され、床面抵抗に伴う負荷が規定以上に作用した場合に、制限方向の回動を許容する軟質体からなる制動部材とから構成したので、拭き機能を持たせることができ、かつ楔効果を働かせた場合の力の分力を起毛布ローラ体取り付け方向に作用させることができて、起毛布ローラ体の取り付け状態の安定化が図れ、起毛布ローラ体の片減りの問題を完全に解消することができる。
【００８８】
また、請求項５の発明によれば、制動部材を、中心軸を有するコマ形の制動輪から構成して横軸配置するとともに、下ケースに、制動輪の輪部を楔状空間内に挿入可能とする孔を形成し、この孔の縁部を制動輪食い込み量の制限手段として構成したので、起毛布ローラ体の自由回転を抑制する制動手段の構成が簡素化され、その分コストを削減することができる。
【００８９】
また、請求項６の発明によれば、制動輪の上方向移動量を制限するリブを上ケースより垂下して設けたので、制動輪が跳ね上げられることがあっても、そのリブ下縁で制動輪の必要以上の上方向動を押さえることができ、制動輪が孔部から脱落するのを防止することができる。
【図面の簡単な説明】
【図１】  本発明の第１実施形態に係る電気掃除機用吸込具の正面側からみた縦断面図である。
【図２】  第１実施形態に係る電気掃除機用吸込具の起毛布ローラ体の着脱手順の説明図である。
【図３】  第１実施形態に係る電気掃除機用吸込具の外観を示す斜視図である。
【図４】  本発明の第２実施形態に係る電気掃除機用吸込具の正面側からみた要部の縦断面図である。
【図５】  本発明の第３実施形態に係る電気掃除機用吸込具の正面側からみた要部の縦断面図である。
【図６】  第３実施形態に係る電気掃除機用吸込具の底面図である。
【図７】  本発明の第４実施形態に係る電気掃除機用吸込具の正面側からみた要部の縦断面図である。
【図８】  本発明の第５実施形態に係る電気掃除機用吸込具の側面側からみた要部の縦断面図である。
【図９】  第５実施形態に係る電気掃除機用吸込具の正面側からみた縦断面図である。
【図１０】  本発明の第６実施形態に係る電気掃除機用吸込具の正面側からみた縦断面図である。
【図１１】  本発明の第７実施形態に係る電気掃除機用吸込具の側面側からみた要部の縦断面図である。
【図１２】  第７実施形態に係る電気掃除機用吸込具の制動手段の異なる態様を示す縦断面図である。
【図１３】  本発明の第８実施形態に係る電気掃除機用吸込具の側面側からみた要部の縦断面図である。
【図１４】  本発明の第９実施形態に係る電気掃除機用吸込具の正面側からみた要部の縦断面図である。
【図１５】  従来の電気掃除機用吸込具の縦断面図である。
【図１６】  従来の電気掃除機用吸込具の要部の分解斜視図である。
【図１７】  従来の電気掃除機用吸込具の要部の縦断面図である。
【符号の説明】
２  上ケース、３  下ケース、４  バンパー、２１  吸込具本体、２２  起毛布ローラ体、２３  円筒ローラ、２４  起毛布、２５，２６  キャップ、２５ａ，２６ａ  突起、２５ｂ，２６ｂ  突起の中心孔、２６ｃ  キャップ周面（キャップ周面）、２７  凹部、２８  穴、２９  板ばね（付勢手段）、４１，５１  舌状片（付勢手段）、４ａ  膨出部（バンパーによる舌状片保持部）、５２  スリット、６１  膨出部（付勢手段）、７１，８１，９１  制動手段、７２  平面部、７３  制動部材、７４  中心軸、７５  制動輪、７６  孔、７６ａ  孔の縁部（食い込み量制限手段）、７７  リブ（上方向移動量制限リブ）、８３  腕、８４  膨出部（制動部材）、２５ｄ，２６ｄ  テーパ、９２  爪車、９２ａ  斜面、９３  逆転止掣子片、１０１  スライダ、１０１ａ  操作部。
【図１】
0003777493.tif 000002
【図２】
0003777493.tif 000003
【図３】
0003777493.tif 000004
【図４】
0003777493.tif 000005
【図５】
0003777493.tif 000006
【図６】
0003777493.tif 000007
【図７】
0003777493.tif 000008
【図８】
0003777493.tif 000009
【図９】
0003777493.tif 000010
【図１０】
0003777493.tif 000011
【図１１】
0003777493.tif 000012
【図１２】
0003777493.tif 000013
【図１３】
0003777493.tif 000014
【図１４】
0003777493.tif 000015
【図１５】
0003777493.tif 000016
【図１６】
0003777493.tif 000017
【図１７】
0003777493.tif 000018